(57)【要約】【課題】所望の塩素濃度を有する処理水が得られるカートリッジ型浄水器を提供する。【解決手段】カートリッジ型浄水器１００は、ハウジング１０内に収容された濾材カートリッジ１３を有し、濾材カートリッジ１３は、内部に活性炭が収容された処理室１５と、処理室１５をバイパスするバイパス流路１９を形成するバイパス管１４とを有する。ハウジング１０と処理室１５との間の有効開口面積とハウジング１０とバイパス流路１９との間の有効開口面積の比率は、１：０から０：１までの間で無段階に且つ単調に調整可能である。水道水に含まれる残留塩素の濃度の変動に依存せず、カルキ臭がなく且つ殺菌能力を有する処理水が得られる。【選択図】    図１
2004321904.tif 000002
【特許請求の範囲】
【請求項１】
原水流入口及び処理水流出口に連通し、流入する原水から残留塩素を除去する処理室と、該処理室をバイパスするバイパス流路とを備えるカートリッジ型浄水器において、
前記処理室に流入する原水の流量と前記バイパス流路を流れる原水の流量との間の比率を可変に設定する流路調整手段を備えることを特徴とするカートリッジ型浄水器。
【請求項２】
前記流路調整手段は、前記原水流入口と前記処理室との間の有効開口面積が０〜１００％の間で変化する第１の開口調整機構と、前記原水流入口と前記バイパス流路との間の有効開口面積が０〜１００％の間で変化する第２の開口調整機構とを備える、請求項１に記載のカートリッジ型浄水器。
【請求項３】
前記流路調整手段は、前記第１の開口調整機構及び第２の開口調整機構を一体的に調整する共通の操作部を備え、該操作部は、前記第１の開口調整機構における有効開口面積を１００％に且つ前記第２の開口調整機構における有効開口面積を０％に設定する第１の操作位置と、前記第１の開口調整機構における有効開口面積を０％に且つ前記第２の開口調整機構における有効開口面積を１００％に設定する第２の操作位置との間で、前記第１の開口調整機構と第２の開口調整機構の有効開口面積の比率を調整する、請求項２に記載のカートリッジ型浄水器。
【請求項４】
前記第１の開口調整機構及び第２の開口調整機構の少なくとも一方が、固定板に形成された第１の開口部と、該固定板上を摺動する可動板に形成された第２の開口部とから構成され、前記有効開口面積の調整が、前記可動板の移動調整による第１の開口部と第２の開口部との重なり面積の調整によって行われる、請求項３に記載のカートリッジ型浄水器。
【請求項５】
前記第１の開口調整機構及び第２の開口調整機構の一方が、固定板に形成された第１の開口部と、該固定板上を摺動する可動板に形成された第２の開口部とから構成され、前記第１の開口調整機構及び第２の開口調整機構の他方が、固定円筒に形成された第３の開口と、前記可動板と一体的に回転移動し前記固定円筒上を摺動する可動円筒に形成された第４の開口部とから構成され、前記第１及び第２の開口調整機構による有効開口面積の調整が、前記可動板及び可動円筒の回転位置の調整によって行われる、請求項３に記載のカートリッジ型浄水器。
【請求項６】
前記第１の開口調整機構及び第２の開口調整機構の一方が、固定板に形成された第１の開口部と、該固定板上を摺動する可動板に形成された第２の開口部とから構成され、前記第１の開口調整機構及び第２の開口調整機構の他方が、前記固定板の前記第１の開口部の半径方向内側に形成された第３の開口部と、前記可動板の前記第２の開口部の半径方向内側に前記第３の開口部に対応して形成された第４の開口部とから構成され、前記第１及び第２の開口調整機構による有効開口面積の調整が、前記可動板の回転位置の調整によって行われる、請求項３に記載のカートリッジ型浄水器。
【請求項７】
前記第１の開口部と第２の開口部とが略同形状を有し、該第１及び第２の開口部は、前記可動板の移動方向に順次に開口幅が変化する、請求項４〜６の何れかに記載のカートリッジ型浄水器。
【請求項８】
活性炭を用いて被処理水中の残留塩素を除去する方法において、
被処理水が活性炭を通過する割合を０〜１００％の間で調整し、処理水中の塩素含有量を所望の値に調整することを特徴とする残留塩素の除去方法。
【発明の詳細な説明】
【０００１】
【発明の属する技術分野】
本発明は、カートリッジ型浄水器及び残留塩素の除去方法に関し、特に、市水（水道水）から残留塩素を除く際に好適に使用できるカートリッジ型浄水器、及び、残留塩素の除去方法に関する。
【０００２】
【従来の技術】
カートリッジ型浄水器は、水道水から残留塩素を除くために、家庭や、オフィス、食堂、ファーストフード店、或いは、自動販売機等で広範囲に使用されている。図７は、実開昭５６−７３０８０号公報に記載された従来のカートリッジ型浄水器を示す断面図である。
【０００３】
カートリッジ型浄水器（以下、単に浄水器と呼ぶ）は、原水流入口３１及び処理水流出口３２を上面に有する略円筒形のハウジング３０と、このハウジング３０と同心状にハウジング３０内に収容された略円筒形の濾材カートリッジ３３とを有する。濾材カートリッジ３３の中心部には、円筒状のバイパス流路３６を形成する集水カラム３４が配設され、集水カラム３４の周囲及び下部は、原水を処理する処理室３５を形成している。バイパス流路３６と処理室３５とは通水性を有する集水カラム３４を介して互いに連通する。
【０００４】
処理室３５には、原水から残留塩素を除去するための活性炭が充填されている。バイパス流路３６中には、スケール防止剤３７が充填された薬品筒３８が配置されている。スケール防止剤３７は、この浄水器で処理した処理水が流れる配管等からスケールを除去する目的で使用される。処理室３５の下端は、フィルタ３９を介してハウジング３０内部の空間に連通している。バイパス流路３６の下端は、フィルタ４０、処理室３５、及び、フィルタ３９を介して、ハウジング３０内部の空間に連通し、バイパス流路３６の上端は、処理水流出口３２に接続されている。
【０００５】
原水は、原水流入口３１から導入され、ハウジング３０の上端から、ハウジング３０と濾材カートリッジ３３との間の空間を通過してハウジング３０の下端に流れ、次いで、濾材カートリッジ３３の下端から、処理室３５とバイパス流路３６とに分流して流れる。処理室３５を通過した処理水と、バイパス流路３６でスケール防止剤が添加された原水とは、集水カラム３４内で合流し、処理水流出口３２を経由して外部に供給される。
【０００６】
上記構成の浄水器は、例えば、自動販売機の水道水供給口や、ファーストフード店等で利用されるコーヒーメーカーのディスペンサー等に取り付けられ、水道水から、その残留塩素の一部を除去してカルキ臭を消している。ここで、流入する水道水の全てを処理室で活性炭処理すると、カルキ臭の問題は生じないものの、処理水における殺菌力が失われ、その処理水が後に通過する配管やバルブ等の内部で細菌が繁殖するおそれがある。従って、上記従来の浄水器では、このような細菌の繁殖防止を目的として、浄水器にバイパス流路を設け、処理水中に残留塩素の一部を残すことで、処理水に殺菌効果を持たせている。
【０００７】
【特許文献１】
実開昭５６−７３０８０号公報
【０００８】
【発明が解決しようとする課題】
一般に、水道水の残留塩素は、水道水の供給者における設備や取水源の違い、或いは、季節変動等のために、その濃度が０．５ｍｇ／Ｌ〜２．０ｍｇ／Ｌ程度の間でばらつきを有する。残留塩素の濃度が例えば１ｍｇ／Ｌを上回ると、その水道水から得られる飲料はカルキ臭を有する。しかし、上記従来の浄水器では、残留塩素の除去率は、浄水器の構造で決まるため、結果として、処理水に残される残留塩素は、原水における残留塩素の濃度で左右される。このため、浄水器を設置した場所や季節等に依存して処理水中の塩素濃度が異なり、処理水を利用して自動販売機やファーストフード店において作られ、販売される飲料等についてはカルキ臭が残る等の問題があった。
【０００９】
上記カルキ臭を除くために、残留塩素の除去率を上げ、浄水器毎で適当な塩素濃度が得られるように浄水器を改良することは容易である。しかし、その改良した浄水器では、他の水道供給者から供給される水道水を処理した処理水については、或いは、同じ水道供給者からの水道水を処理した処理水であっても季節によっては、塩素濃度が不足する事態が発生する。処理水の塩素濃度が例えば０．３ｍｇ／Ｌを下回ると、処理水が通過する配管やバルブ等に細菌が繁殖する等の問題が発生する。また、このような問題に対処するため、残留塩素の濃度の変動に対応した残留塩素の除去率を有する浄水器を個別に製作すると、設計及び製作が煩雑になり、浄水器の製造コストが上昇する。
【００１０】
本発明は、上記に鑑み、水道水の供給者における設備や取水源の違い、或いは、季節変動等によって変動する原水の残留塩素の濃度にも拘わらず、所望の濃度で残留塩素を処理水中に残すことが出来るカートリッジ型浄水器を提供することを目的とする。
【００１１】
本発明は、更に、カートリッジ型浄水器を利用して残留塩素を除去する際に好適な残留塩素の除去方法を提供することをも目的とする。
【００１２】
【課題を解決するための手段】
上記目的を達成するために、本発明のカートリッジ型浄水器は、原水流入口及び処理水流出口に連通し、流入する原水から残留塩素を除去する処理室と、該処理室をバイパスするバイパス流路とを備えるカートリッジ型浄水器において、
前記処理室に流入する原水の流量と前記バイパス流路を流れる原水の流量との間の比率を可変に設定する流路調整手段を備えることを特徴とする。
【００１３】
本発明のカートリッジ型浄水器によると、処理室に流入する原水の流量とバイパス流路を流れる原水の流量の比率を設定することにより、所望の塩素濃度を有する処理水が容易に得られるので、この処理水から得られる飲料のカルキ臭の問題や、処理水を通過させる配管やバルブ等における細菌繁殖等の問題が生じない処理水が得られる。
【００１４】
本発明の好ましいカートリッジ型浄水器では、前記流路調整手段が、前記原水流入口と前記処理室との間の有効開口面積が０〜１００％の間で変化する第１の開口調整機構と、前記原水流入口と前記バイパス流路との間の有効開口面積が０〜１００％の間で変化する第２の開口調整機構とを備える。この場合、原水の供給者の設備や季節に依存して変化する原水の残留塩素の如何に拘わらず、処理水中の塩素濃度が所望の値に設定できる。
【００１５】
また、前記流路調整手段が、前記第１の開口調整機構及び第２の開口調整機構を一体的に調整する共通の操作部を備え、該操作部は、前記第１の開口調整機構における有効開口面積を１００％に且つ前記第２の開口調整機構における有効開口面積を０％に設定する第１の操作位置と、前記第１の開口調整機構における有効開口面積を０％に且つ前記第２の開口調整機構における有効開口面積を１００％に設定する第２の操作位置との間で前記第１の開口調整機構及び第２の開口調整機構の有効開口面積の比率を調整することも本発明の好ましい態様である。この場合、１つの操作部の操作によって所望の流量比率が得られる。
【００１６】
更に、前記第１の開口調整機構及び第２の開口調整機構の少なくとも一方が、固定板に形成された第１の開口部と、該固定板上を摺動する可動板に形成された第２の開口部とから構成され、前記有効開口面積の調整が、前記可動板の位置調整による第１の開口部と第２の開口部との重なり面積の調整によって行われることも本発明の好ましい態様である。この場合、簡素な機構によって所望の流量調整が得られる。
【００１７】
更に、前記第１の開口調整機構及び第２の開口調整機構の一方が、固定板に形成された第１の開口部と、該固定板上を摺動する可動板に形成された第２の開口部とから構成され、前記第１の開口部調整機構及び第２の開口調整機構の他方が、固定円筒に形成された第３の開口部と、前記可動板と一体的に回転移動し前記固定円筒上を摺動する可動円筒に形成された第４の開口部とから構成され、前記第１及び第２の開口調整機構による有効開口面積の調整が、前記可動板及び可動円筒の回転位置の調整によって行われることも本発明の好ましい態様である。この場合、同様に簡素な機構によって所望の流量調整が得られる。
【００１８】
上記に代えて、前記第１の開口調整機構及び第２の開口調整機構の一方が、固定板に形成された第１の開口部と、該固定板上を摺動する可動板に形成された第２の開口部とから構成され、前記第１の開口調整機構及び第２の開口調整機構の他方が、前記固定板の前記第１の開口部の半径方向内側に形成された第３の開口部と、前記可動板の前記第２の開口部の半径方向内側に前記第３の開口部に対応して形成された第４の開口部とから構成され、前記第１及び第２の開口調整機構による有効開口面積の調整が、前記可動板の回転位置の調整によって行われる構成を採用することも出来る。同様に簡素な機構によって所望の流量調整が得られる。
【００１９】
更に、前記第１の開口部と第２の開口部とが略同形状を有し、該第１及び第２の開口部は、前記可動板の移動方向に順次に開口幅が変化することも本発明の好ましい態様である。この場合、きめ細かな調整が容易となり、所望の調整が容易に得られる。
【００２０】
本発明の残留塩素の除去方法は、活性炭を用いて被処理水中の残留塩素を除去する方法において、
被処理水が活性炭を通過する割合を０〜１００％の間で調整し、処理水中の塩素含有量を所望の値に調整することを特徴とする。
【００２１】
本発明の残留塩素の除去方法によると、被処理水が活性炭を通過する割合を０〜１００％の間で調整することで、所望の塩素濃度を有する処理水が容易に得られるので、この処理水から得られる飲料のカルキ臭の問題や、処理水を通過させる配管やバルブ等における細菌繁殖等の問題が生じない処理水が得られる。
【００２２】
【発明の実施の形態】
以下、図面を参照し、本発明の実施形態例に基づいて本発明を更に詳細に説明する。図１は、本発明の第１の実施形態例に係るカートリッジ型浄水器の構成を示している。カートリッジ型浄水器（以下、単に浄水器と呼ぶ）１００は、原水流入口１１及び処理水流出口１２を上面に有する略円筒形のハウジング１０と、このハウジング１０と同心状にハウジング１０内に収容された略円筒形の濾材カートリッジ１３とを有する。ハウジング１０内部の空間は、原水流入口１１と連通し、且つ、濾材カートリッジ１３の内部とその下端部で連通している。濾材カートリッジ１３は、処理水流出口１２に形成された内ねじに螺合する先端部１３ａによってハウジング１０内に支持される。
【００２３】
濾材カートリッジ１３は、その中心部分に配設された、円筒状のバイパス流路１９を形成するバイパス管１４と、バイパス管１４と濾材カートリッジ１３の内壁との間に形成される処理室１５と、バイパス管１４及び処理室１５とハウジング１０内の空間との間の開口を調整する流量調整板１６とを有する。処理室１５には、原水から残留塩素を除去するための活性炭が充填されており、活性炭は、処理室１５下端の前フィルタ１７と処理室上端の後フィルタ１８とによって処理室１５内に留められている。
【００２４】
バイパス管１４内部のバイパス流路１９は、その上端がハウジング１０の処理水流出口１２と連通し、バイパス管１４の下端部は、処理室１５の下端から突出している。バイパス管１４の上端部近傍の円筒面には、処理室１５と連通するためのバイパス管上端部開口２０が形成されており、その開口２０は処理室１５上部に配設された後フィルタ１８によって囲まれている。また、バイパス管１４の下端部近傍の円筒面には、ハウジング１０の内部空間と連通するためのバイパス管下端部開口２４が形成されている。バイパス管１４は、例えば樹脂材料等の水不透過性の材料で形成される。バイパス流路１９には、その上端及び下端にフィルタ１４ｂが収容されており、双方のフィルタ１４ｂの間には、例えばスケール除去剤や、薬品、適当な吸着材を入れておくことも出来る。
【００２５】
流量調整板１６は、ハウジング１０内に流入した原水について、処理室１５内部を通過する原水の流量と、バイパス流路１９を通過する原水の流量との比率を１：０から０：１までの間で無段階に調整する。流量調整板１６は、バイパス管１４の円筒面上を摺動する内側の筒状部分１６ａと、その筒状部分１６ａの頂部から外側に延び、処理室１５を区画する濾材カートリッジ１３の底板１３ｂの下端に接する環状板部分１６ｂと、その環状板部分１６ｂの外縁に接して形成された円筒状のハンドル部分１６ｃとを有する。筒状部分１６ａの円筒面及び環状板部分１６ｂには、バイパス流路１９及び処理室１５を流れる原水の水量調整を行うための開口がそれぞれ形成されている。流量調整板１６は、そのハンドル部分１６ｃを手で持つことにより、濾材カートリッジ１３の固定部分を成す樹脂製の底板１３ｂ及びバイパス管１４に対して回動可能であり、その回動によって、バイパス流路１９と処理室１５とを原水が通過する有効開口面積の比率が調節される。
【００２６】
図２は、流量調整板１６を含む濾材カートリッジ１３の下端部の詳細を、処理室１５を流れる原水の流量が１００％で且つバイパス流路１９を流れる原水の流量が０％の状態で示している。同図（ａ）は、浄水器の軸方向に沿う断面図であり、同図（ｂ）は、その軸方向と直交する方向の断面図であり、同図（ａ）のＢ−Ｂ矢視に相当する。
【００２７】
図２（ａ）に示すように、バイパス管１４には、バイパス流路１９の下端を閉塞する底板１４ａが付属しており、流量調整板１６は、その底板１４ａによって筒状部分１６ａの下端が支持される。流量調整板１６は、また、ハンドル部分１６ｃの上端から内側に突出する突起１６ｄと処理室１５の外壁に形成された環状溝との係止によって支持され、濾材カートリッジ１３と相対的に回動可能である。
【００２８】
バイパス管１４の下端部近傍の円筒面には、その一部に開口２４が形成されている。この開口２４は、図２の状態では、流量調整板１６の筒状部分１６ａの円筒面によって完全に閉止されている。処理室１５下端の濾材カートリッジ１３の底板１３ｂにも、開口２５が形成されている。この開口２５は、同図（ｂ）に示されているように、流量調整板１６の環状板部分１６ｂの開口２６と１００％重なっている。このため、ハウジング１０の底部に達した原水は、その１００％が処理室１５内を通過し、活性炭１５によってその残留塩素が除去される。
【００２９】
図３は、濾材カートリッジ１３の下端部の詳細を、処理室１５を流れる原水の流量が０％で且つバイパス流路１９を流れる原水の流量が１００％となる状態で、図２と同様に示している。同図（ａ）に示されているように、バイパス管１４に形成された開口２４と、流量調整板１６の筒状部分１６ａの開口２７とは、その１００％が重なっている。一方、処理室１５の濾材カートリッジ１３の底板１３ｂに形成された開口２５は、流量調整板１６の環状板部分１６ｂによって完全に閉止されている。この状態では、ハウジング１０の底部に達した原水は、その１００％がバイパス管１４内を通過し、原水は、活性炭処理を受けることなく、原水内の残留塩素はそのまま残される。
【００３０】
上記構成において、開口２５及び開口２６は、原水流入口と処理室間の有効開口面積を調整する第１の開口調整機構を構成し、開口２４及び開口２７は、原水流入口とバイパス流路間の有効開口面積を調整する第２の開口調整機構を構成している。開口２５と開口２６の重なり面積の調整により、また、開口２４と開口２７の重なり面積の調整により、第１及び第２の開口調整機構の有効開口面積が調整される。
【００３１】
上記実施形態例の浄水器は、一般的には図２及び３に示した状態ではなく、それらの間の中間状態で使用されるものであり、例えば図４に示した状態で使用される。図示の状態では、開口２４と開口２７とは約８０％が重なっており、開口２５と開口２６とは約２０％が重なっている。これによって、原水は、約２０％が処理室１５内を通過して活性炭処理され、約８０％がバイパスして、その残留塩素が残される。このように、双方の有効開口面積の比率と双方の流量比率とがほぼ一致するように、各開口面積の大きさと各流路の圧力損失とが定められている。
【００３２】
本実施形態例では、処理室１５内に連通する、濾材カートリッジ１３の底板１３ｂの開口２５と、流量調整板１６の環状板部分１６ｂの開口２６とが略同形状を有し、且つこれら開口２５、２６は、その開口幅が最大値から最小値まで、流量調整板１６の回転方向に単調に且つ無段階に変化する。この構成によって、処理室１５とバイパス流路１９の原水の流量比率が無段階に且つ制御性よく調整される。
【００３３】
原水は、原水流入口１１から導入され、ハウジング１０の上端から、ハウジング１０とカートリッジ１３との間の空間を通過してハウジング１０下端に流れ、次いで、カートリッジ１３の下端から、調整された流量比率に従って処理室１５とバイパス流路１９とに分流して流れる。処理室１５を通過した処理水と、バイパス流路１９で活性炭によって処理されることなく通過した原水とは、バイパス流路１９の上端で合流し、処理水流出口１２を経由して外部に供給される。
【００３４】
浄水器の管理者は、浄水器が設置された時点で、原水に含まれる残留塩素を測定して流量調整板１６の回動位置を決定する。この決定によって、処理水の残留塩素が所望の含有量、例えば０．３ｍｇ／Ｌ〜０．６ｍｇ／Ｌ程度となるように調整される。また、季節毎に原水又は処理水の残留塩素を測定して、同様に流量調整板１６の回動位置を決定し、処理水の残留塩素が同じ値となるように調整する。これによって、水道水供給者の設備や取水源の違い、季節変動等に依存しない所望の塩素濃度が得られる。このため、処理水を利用して得られた飲料におけるカルキ臭の問題や、処理水の殺菌力不足に起因する細菌の繁殖等の問題が生じない処理水が得られる。
【００３５】
図５及び図６は、本発明の第２の実施形態例に係る浄水器の一部を図２及び図３と同様に示している。本実施形態例では、バイパス流路１９の有効開口面積を調整する開口調整機構の形状が第１の実施形態例と異なり、その他の構成は、第１の実施形態例と同様である。図５（ａ）において、本実施形態例では、濾材カートリッジ１３の底板１３ｂは、１枚の円板として形成されており、その円板には、処理室１５のための底板部外側開口２５ａが半径方向外側に形成され、バイパス流路１９のための底板部内側開口２８が半径方向内側に形成されている。
【００３６】
流量調整板１６も略円板形状を有しており、図５（ｂ）に示すように、処理室１５のための流量調整板外側開口２６ａ及びバイパス流路１９のための流量調整板内側開口２９が、濾材カートリッジ１３の底板１３ｂの開口２５ａ、２８に合わせて形成されている。処理室１５のための開口２５ａ、２６ａは、先の実施形態例の開口２５、２６と同様に第１の開口調整機構を構成しており、バイパス流路１９のための開口２８、２９は、これら処理室１５のための開口２５、２６とほぼ同様な形状を有し、第２の開口調整機構を構成している。図５は、原水が１００％処理室１５を通過して残留塩素が除かれる状態を示しており、図６は、原水が１００％バイパス流路１９を通過して残留塩素がそのまま残される状態を示している。浄水器は、これら２つの状態の間の適当な中間位置で使用されることは、第１の実施形態例と同様である。
【００３７】
以上、本発明をその好適な実施形態例に基づいて説明したが、本発明のカートリッジ型浄水器及び残留塩素の除去方法は、上記実施形態例の構成にのみ限定されるものではなく、上記実施形態例の構成から種々の修正及び変更を施したものも、本発明の範囲に含まれる。
【００３８】
【発明の効果】
以上、説明したように、本発明のカートリッジ型浄水器及び残留塩素の除去方法によると、活性炭を通過する原水（被処理水）の流量比率を所望の値に調整することにより、処理水中に含まれる塩素濃度を所望の値に容易に設定できるので、処理水から得られる飲料におけるカルキ臭の問題や、処理水を通過させる配管やバルブ等における細菌の繁殖等の問題が生じない処理水が得られるという顕著な効果を奏する。
【図面の簡単な説明】
【図１】本発明の一実施形態例に係るカートリッジ型浄水器の断面図。
【図２】（ａ）及び（ｂ）はそれぞれ、図１のカートリッジ型浄水器を、処理室内を流れる原水の流量が１００％の状態で示す一部詳細断面図及び平面図。
【図３】（ａ）及び（ｂ）はそれぞれ、図１のカートリッジ型浄水器を、バイパス流路を流れる原水の流量が１００％の状態で示す一部詳細断面図及び平面図。
【図４】実際の使用状態で処理室の開口面積の制御の様子を示す、浄水器の軸と直交方向で見た流量調整板の断面図。
【図５】（ａ）及び（ｂ）はそれぞれ、第２の実施形態例に係るカートリッジ型浄水器を、処理室内を流れる原水の流量が１００％の状態で示す一部詳細断面図及び平面図。
【図６】（ａ）及び（ｂ）はそれぞれ、第２の実施形態例に係るカートリッジ型浄水器を、バイパス流路を流れる原水の流量が１００％の状態で示す一部詳細断面図及び平面図。
【図７】従来のカートリッジ型浄水器の断面図。
【符号の説明】
１００：カートリッジ型浄水器
１０：ハウジング
１１：原水流入口
１２：処理水流出口
１３：濾材カートリッジ
１３ａ：先端部
１３ｂ：底板
１４：バイパス管
１４ｂ：フィルタ（バイパス管内フィルタ）
１５：処理室
１６：流量調整板
１６ａ：筒状部分
１６ｂ：環状板部分
１６ｃ：ハンドル部分
１６ｄ：突起
１７：前フィルタ
１８：後フィルタ
１９：バイパス流路
２０：開口（バイパス管上端部開口）
２４：開口（バイパス流路下端部開口）
２５：開口（底板部開口）
２５ａ：開口（底板部外側開口）
２６：開口（環状板部開口）
２６ａ：開口（流量調整板部外側開口）
２７：開口（筒状部開口）
２８：開口（底板部内側開口）
２９：開口（流量調整板部内側開口）
【図１】
2004321904.tif 000003
【図２】
2004321904.tif 000004
【図３】
2004321904.tif 000005
【図４】
2004321904.tif 000006
【図５】
2004321904.tif 000007
【図６】
2004321904.tif 000008
【図７】
2004321904.tif 000009